(57)【要約】【課題】帽子の庇にボールマーカー等の小物類を保持する磁石を目立たずに、スッキリ収納すること。【解決手段】庇（１２）の芯部を少なくとも上下二枚の板材（１３，１４）から構成し、その上下二枚の板材の少なくとも一箇所以上の適宜箇所にそれぞれ座繰り凹部（２０，２１）を向き合う様に設け、そして、その座繰り凹部内に磁石板（１５）又は磁性体を挿嵌固着し、そして、少なくとも庇の表裏面に段差が出ないようにして、ボールマーカー等の小物類を係止出来る構造にした。【選択図】図１
0003120000.tif 000002
【実用新案登録請求の範囲】
【請求項１】
帽子であって、その庇の芯部が少なくとも上下二枚の板材から構成され、その上下二枚の板材の少なくとも一箇所以上の適宜箇所にそれぞれ座繰り凹部を向き合う様に設け、そして、その座繰り凹部内に磁石板又は磁性体を挿嵌固着し、ボールマーカー等の小物類を係止出来る様にした事を特徴とする帽子。
【請求項２】
帽子であって、その庇の芯部が少なくとも上下二枚の板材から構成され、その上下二枚の板材の少なくとも一箇所以上の適宜箇所にそれぞれ座繰り凹部を向き合う様に設け、そして、その座繰り凹部内に磁石板又は磁性体を挿嵌固着し、そして、少なくとも庇の表裏面に段差が出ないようにして、ボールマーカー等の小物類を係止出来る様にした事を特徴とする帽子。
【請求項３】
前記二枚の板材により庇全体が構成されるか、又は、庇の一部分が二枚の板材により構成されるかした事を特徴とする、請求項１又は２の何れか１項に記載の帽子。
【考案の詳細な説明】
【技術分野】
【０００１】  本考案は、ゴルフ用の帽子に関する。特に、ボールマーカー等の小物を取り付ける手段を有するものに関する。
【背景技術】
【０００２】  従来、ゴルフ用の帽子で、ボールマーカー等の小物を取り付ける手段を有するものとしては、国内に於いては、（ｉ）実開平０４−６２１号の様に、庇の縁に接着剤で磁石を取り付けたものや、又一方ゴルフ先進国である米国に於いては、（ｉｉ）米国特許公報第６１７００８８号の様に庇内に磁石を挟み込んで埋め込んだもの等が開示されている。【０００３】
【特許文献１】実開平０４−６２１号
【特許文献２】米国特許公報  第６１７００８８号
【考案の開示】
【考案が解決しようとする課題】
【０００４】  ゴルフ用具は機能性は勿論、オシャレでデザイン的にも見栄えが良いものが好まれることはいうまでもない。しかし、上記（ｉ）の場合の様に庇の縁に磁石を接着する方法に於いては、磁石が帽子の庇の外に飛び出してデザイン的に見栄えが良くない。【０００５】  又、上記（ｉｉ）の場合は、図４のように帽子の庇のコア（芯部）により磁性体が挟み込まれるように埋め込まれているために、上記（ｉ）の場合のように外に飛び出してはいないが、図５，６のように庇の厚さと磁性体の厚さを合わせることが困難であり、実際的に、庇は曲面で形成されており磁性体と面一に合わせる事はほぼ不可能である。その為に、接着剤等でその厚みを調整する訳であるが、その接着剤が乾燥した場合、収縮、又は膨張によりその部分のみが凹部又は凸部になり、庇自体が凸凹の模様を呈し見栄えが悪くなってしまった。
【課題を解決するための手段】
【０００６】  そこで本考案に於いては、上記課題を解決するために、帽子であって、その庇の芯部が少なくとも上下二枚の板材から構成され、その上下二枚の板材の少なくとも一箇所以上の適宜箇所にそれぞれ座繰り凹部を向き合う様に設け、そして、その座繰り凹部内に磁石板又は磁性体を挿嵌固着し、ボールマーカー等の小物類を係止出来る様にした事を特徴とする帽子を提案し、更に、帽子であって、その庇の芯部が少なくとも上下二枚の板材から構成され、その上下二枚の板材の少なくとも一箇所以上の適宜箇所にそれぞれ座繰り凹部を向き合う様に設け、そして、その座繰り凹部内に磁石板又は磁性体を挿嵌固着し、そして、少なくとも庇の表裏面に段差が出ないようにして、ボールマーカー等の小物類を係止出来る様にした事を特徴とする帽子の提案を図った。
【考案の効果】
【０００７】  上記手段を採用することにより、帽子の周りは勿論、庇自身も凹凸が無くスッキリとした表裏面を呈し、庇の部分の模様やロゴも歪む事無く表現出来、且つ、機能的にもボールマーカー等の小物類も庇の表面は勿論、裏面にも係止可能で、無くす事も少なくなる。
【考案を実施するための最良の形態】
【０００８】  本考案の最良の形態として、帽子であって、その庇の芯部が少なくとも上下二枚の板材から構成され、その上下二枚の板材の少なくとも一箇所以上の適宜箇所にそれぞれ座繰り凹部を向き合う様に設け、そして、その座繰り凹部内に磁石板又は磁性体を挿嵌固着し、そして、少なくとも庇の表裏面に段差が出ないようにして、ボールマーカー等の小物類を係止出来る様にした事を特徴とする帽子の提供。
【実施例１】
【０００９】  本考案を図によって詳説すると、図１は本考案の帽子１０の一部切り欠き全体斜視図である。ドーム部分１１と庇部分１２からなり、該庇の部分１２は、概ね、上部被覆布１６と、芯材である上部板材１３と下部板材１４と、下部被覆布１６の４層構造からなり、前記上部板材１３と下部板材１４のドーム付け根近辺１２ａの少なくとも一箇所以上の適宜箇所にそれぞれ座繰り凹部２０、２１を向き合う様に設け、そして、その座繰り凹部内に磁石板１５又は磁性体を挿嵌固着し、ボールマーカー等の小物類を係止出来る様な構造をとった。又、帽子１０はこの場合ドーム部分が無いサンバイザー形式のものであっても構わない。【００１０】  更に、図２は図１の断面部の拡大図であり、磁石１５が上部板材１３と下部板材１４によりカバーされているので、上部表面１７及び下部表面１８近辺が凹凸になることが避けられスッキリとしたデザインとなる。又そうなることにより、ボールマーカー等３０の小物類の保持もしっかり行える事となる。該ボールマーカー等の小物類の内部には勿論磁性体３１が組み入れられるか、少なくとも一部が磁性体で形成されることが好ましい。【００１１】  図３は特許文献１に関わる従来図であり、庇の側面に磁石を接着した図で、デザイン的には好ましくないと思われる。【００１２】  図４は特許文献２に関わる従来図であり、帽子の庇のコア（芯部）により磁性体が挟み込まれるように埋め込まれているために、図５、６のように庇の厚さｈと磁性体の厚さｊを一致させることが重要となってくる。しかし、実際的には、庇は曲面で形成されており磁性体と芯部を面一に合わせる事はほぼ不可能である。その為に、接着剤等で空間を充填しその厚みを調整する訳であるが、その接着剤が乾燥した場合、収縮、又は膨張によりその部分のみが図５や図６のように凹部４０又は凸部４１になり、庇自体が凸凹の模様を呈し、帽子としての品質が問われると共に、見栄えが悪くなってしまった。【００１３】  図７は本考案の実施例の応用図であり、下部又は上部の板材のいずれか一方のみに凹部を形成しその中に磁石１５ｃを入れ、もう一方の板材により蓋をした構造であり、この様な方法をとっても構わない。【００１４】  図８は、本考案の他の実施例の部分断面図であり、帽子の庇の芯部を、磁石を入れる場所近辺のみを二層にした構造を採っても良い。
【図面の簡単な説明】
【００１５】
【図１】本考案の帽子一部切り欠き斜視図
【図２】図１の断面部拡大図
【図３】従来図
【図４】従来図
【図５】説明用断面図
【図６】説明用断面図
【図７】本考案の他の実施例図
【図８】本考案のその他の実施例図
【符号の説明】
１０      帽子
１１      帽子ドーム部
１２      庇部
１３      芯材上部板材
１４      芯材下部板材
１５      磁石
１６      被覆布
１７      上部表面
１８      下部表面
２０      座繰り凹部
２１      座繰り凹部
３０      ボールマーカー（小物類）
３１      磁性体
４０      凹部
４１      凸部
【図１】
0003120000.tif 000003
【図２】
0003120000.tif 000004
【図３】
0003120000.tif 000005
【図４】
0003120000.tif 000006
【図５】
0003120000.tif 000007
【図６】
0003120000.tif 000008
【図７】
0003120000.tif 000009
【図８】
0003120000.tif 000010